(57)【要約】【課題】折戸とコーナー縦框を組み合わせる場合に良好な使い勝手を得られる技術を提供する。【解決手段】ガイドレール２４により案内される複数の折戸を用いた仕切り壁であって、コーナー部を有する仕切り壁の一部を構成する折戸ユニット１０において、互いの戸幅方向の内端部が回動軸を介して連結され、回動軸周りに回動可能な第１戸体２８及び第２戸体３０を有するユニット用折戸２０と、仕切り壁のコーナー部を構成し、第１戸体２８の戸幅方向の外端部に接続されるコーナー縦框２５と、を備え、コーナー縦框２５及び第２戸体３０は、ガイドレール２４にガイド軸４６周りの回動を伴い案内されるガイド４２、４４を有し、第１戸体２８は、ガイドレール２４にガイド軸４６周りの回動を伴い案内されるガイドを有さない。【選択図】図２
2019011561.tif 000002
【特許請求の範囲】
【請求項１】
ガイドレールにより案内される複数の折戸を用いた仕切り壁であって、コーナー部を有する仕切り壁の一部を構成する折戸ユニットにおいて、
互いの戸幅方向の内端部が回動軸を介して連結され、前記回動軸周りに回動可能な第１戸体及び第２戸体を有するユニット用折戸と、
前記仕切り壁のコーナー部を構成し、前記第１戸体の戸幅方向の外端部に接続されるコーナー縦框と、を備え、
前記コーナー縦框及び前記第２戸体は、前記ガイドレールにガイド軸周りの回動を伴い案内されるガイドを有し、
前記第１戸体は、前記ガイドレールにガイド軸周りの回動を伴い案内されるガイドを有さない折戸ユニット。
【請求項２】
前記ガイドレールは、前記ユニット用折戸に対して上下方向に配置される第１ストレート区間と、本折戸ユニットと隣り合う他の折戸に対して上下方向に配置される第２ストレート区間と、前記第１ストレート区間と前記第２ストレート区間を繋ぐコーナー区間と、を有し、
前記コーナー縦框の前記ガイドは、前記２ストレート区間を構成する前記ガイドレールの壁面に対して当接可能な位置に配置される請求項１に記載の折戸ユニット。
【請求項３】
前記コーナー縦框を前記ガイドレールにロック可能なロック部材を備え、
前記ロック部材は、前記コーナー縦框の前記ガイドに対して昇降することによりロックの有無を切り替え可能である請求項１または２に記載の折戸ユニット。
【請求項４】
前記コーナー縦框の前記ガイド軸と前記第２戸体の前記ガイド軸の間の中央位置は、前記第１戸体の内端部と前記第２戸体の内端部の間に位置するように設けられる請求項１から３のいずれかに記載の折戸ユニット。
【請求項５】
前記第１戸体の外端部と前記コーナー縦框をヒンジ軸周りに回動可能に連結するヒンジ機構を備える請求項１から４のいずれかに記載の折戸ユニット。
【請求項６】
前記第１戸体と前記コーナー縦框を全閉時の相対位置で保持可能な位置保持機構を備える請求項５に記載の折戸ユニット。
【発明の詳細な説明】
【技術分野】
【０００１】
本発明は、折戸を用いた折戸ユニットに関する。
【背景技術】
【０００２】
従来より、複数の折戸を用いた折戸装置が知られている。折戸装置は、通常、ガイドレールと、ガイドレールにより案内される複数の折戸を用いた仕切り壁とを備えている（特許文献１参照）。
【先行技術文献】
【特許文献】
【０００３】
【特許文献１】特開２０００−２８２７５９号公報
【発明の概要】
【発明が解決しようとする課題】
【０００４】
折戸装置は、ガーデンルーム等の屋外構造物に用いられる場合、仕切り壁がコーナー部を有するケースがある。また、仕切り壁のコーナー部をコーナー縦框により構成するケースがある。本発明者が検討したところ、詳細は後述するが、コーナー縦框と折戸を組み合わせる場合、使い勝手の面で改良の余地があるとの認識を得た。
【０００５】
本発明は、このような課題に鑑みてなされ、その目的は、折戸とコーナー縦框を組み合わせる場合に良好な使い勝手を得られる技術を提供することにある。
【課題を解決するための手段】
【０００６】
上記課題を解決するための本発明のある態様は折戸ユニットである。第１態様の折戸ユニットは、ガイドレールにより案内される複数の折戸を用いた仕切り壁であって、コーナー部を有する仕切り壁の一部を構成する折戸ユニットにおいて、互いの戸幅方向の内端部が回動軸を介して連結され、前記回動軸周りに回動可能な第１戸体及び第２戸体を有するユニット用折戸と、前記仕切り壁のコーナー部を構成し、前記第１戸体の戸幅方向の外端部に接続されるコーナー縦框と、を備え、前記コーナー縦框及び前記第２戸体は、前記ガイドレールにガイド軸周りの回動を伴い案内されるガイドを有し、前記第１戸体は、前記ガイドレールにガイド軸周りの回動を伴い案内されるガイドを有さない。
【０００７】
第１態様によれば、ガイドレールのコーナー区間を通過させるように折戸ユニットを動かすにあたり、ユニット用折戸の折り畳み動作を避けられる。これにより、ユニット用折戸の折り畳み動作に伴う障害物との干渉を避けつつ、折戸ユニットを動かせるようになり、良好な使い勝手が得られる。
【図面の簡単な説明】
【０００８】
【図１】参考例の折戸ユニットを模式的に示す平面図である。
【図２】実施形態の折戸ユニットを模式的に示す平面図である。
【図３】実施形態の折戸ユニットが用いられる屋外構造物を示す斜視図である。
【図４】実施形態の折戸装置の平面図である。
【図５】実施形態の折戸装置の他の平面図である。
【図６】実施形態のガイドレールの一部を示す平面図である。
【図７】実施形態のガイドレールを説明するための断面図である。
【図８】図４の折戸ユニットの拡大図である。
【図９】実施形態の折戸ユニットの一部を見込方向から見た図である。
【図１０】第１変形例の折戸ユニットを示す図である。
【図１１】実施形態の折戸ユニットの効果を説明するための図である。
【図１２】実施形態のガイドレールや框ガイドと周辺構造を簡略化して示す図である。
【図１３】第２変形例の折戸ユニットの一部を示す図である。
【図１４】図１４（ａ）は、図９の一部を示す拡大図であり、図１４（ｂ）は、図１４（ａ）の状態よりロック部材が動いた状態を示す図である。
【図１５】図１５（ａ）は、第３変形例の折戸ユニットの一部を示す図であり、図１５（ｂ）は、実施形態の折戸ユニットの効果を説明するための他の図である。
【図１６】第４変形例の折戸ユニットを示す図である。
【発明を実施するための形態】
【０００９】
まず、実施形態の折戸ユニットを想到するに到った背景から説明する。図１（ａ）は、参考例の折戸ユニット１００を模式的に示す平面図である。参考例の折戸ユニット１００は、ガイドレール２４により案内される複数の折戸を用いた仕切り壁２２の一部を構成する。仕切り壁２２はコーナー部２２ｃを有する。本明細書では、ガイドレール２４のレール溝２４ｄ（後述する）の溝幅中心を一点鎖線で示す。
【００１０】
折戸ユニット１００は、第１戸体２８及び第２戸体３０を有するユニット用折戸２０と、仕切り壁２２のコーナー部２２ｃを構成するコーナー縦框２５とを備える。コーナー縦框２５は、仕切り壁２２のコーナー部２２ｃに近い側に配置される第１戸体２８に接続される。
【００１１】
コーナー縦框２５は、ガイドレール２４にガイド軸４６周りの回動を伴い案内される框ガイド４２を有する。第１戸体２８、第２戸体３０は、ガイドレール２４にガイド軸４６周りの回動を伴い案内される戸ガイド４４を有する。
【００１２】
ガイドレール２４は、互いに異なる方向に延びる第１ストレート区間２４ａ及び第２ストレート区間２４ｂと、第１ストレート区間２４ａと第２ストレート区間２４ｂを繋ぐ曲がり角となるコーナー区間２４ｃとを有する。第１ストレート区間２４ａは、折戸ユニット１００のユニット用折戸２０に対して上下方向に配置される。第２ストレート区間２４ｂは、折戸ユニット１００と隣り合う他の折戸１８に対して上下方向に配置される。これらの位置関係は、仕切り壁２２を構成するにあたり、折戸１８や折戸ユニット１００が配置されるべき位置（以下、仕切り位置という）にある場合を前提にしている。
【００１３】
ガイドレール２４のコーナー区間２４ｃを通過させるように、仕切り位置にある折戸ユニット１００を動かすケースを考える。このケースでは、コーナー縦框２５に第２ストレート区間２４ｂに向かう外力Ｆａを付与することになる。このとき、コーナー縦框２５と隣り合う第１戸体２８には、コーナー縦框２５に付与される外力Ｆａが伝達される。これにより、ガイドレール２４に戸ガイド４４が当たってしまい、第１戸体２８はコーナー縦框２５に付与される外力Ｆａと同じ方向には動けなくなる。コーナー縦框２５に付与される外力Ｆａは、第１戸体２８のガイド軸４６周りの回転力Ｆｂに変換される。この回転力Ｆｂは、ユニット用折戸２０を折り畳む方向に付与される。このため、図１（ｂ）に示すように、ガイドレール２４のコーナー区間２４ｃを通過させるにあたり、ユニット用折戸２０の折り畳み動作を要してしまう。
【００１４】
ユニット用折戸２０の折り畳み動作を要してしまうと、ユニット用折戸２０の近傍に障害物１０２がある場合に、その折り畳み動作に伴い障害物１０２と干渉してしまい、ユニット用折戸２０をそれ以上は折り畳めなくなり得る。この結果、ガイドレール２４のコーナー区間２４ｃを通過させるように折戸ユニット１００を動かせなくなり、使い勝手に悪影響を及ぼす。
【００１５】
図２は、この対策を講じた実施形態の折戸ユニット１０を示す。実施形態の折戸ユニット１０は、コーナー縦框２５及び第２戸体３０のみがガイドレール２４にガイド軸４６周りの回動を伴い案内されるガイド４２、４４を有し、第１戸体２８はこのようなガイドを有していない。これは、コーナー縦框２５及び第２戸体３０にはガイドレール２４に接触して案内される箇所が設けられており、第１戸体２８にはガイドレール２４に接触して案内される箇所が設けられていないことを意味する。これにより、コーナー縦框２５及び第２戸体３０がガイド４２、４４を介してガイドレール２４に案内されるとき、ガイドレール２４による拘束を受けることなく、ガイドレール２４に対する第１戸体２８の相対変位が許容されるようになる。
【００１６】
この折戸ユニット１０を用いて、前述と同様、コーナー縦框２５に第２ストレート区間２４ｂに向かう外力Ｆａを付与するケースを考える。このケースでは、コーナー縦框２５に外力Ｆａが伝達されたとき、ガイドレール２４に第１戸体２８のガイドが当たる事態が生じなくなる。コーナー縦框２５に付与される外力Ｆａは、第１戸体２８とともに第２戸体３０に伝達され、第２戸体３０のガイド軸４６周りの回転力Ｆｃに変換される。この回転力Ｆｃは、ユニット用折戸２０を伸長させる方向に付与されるものであり、ユニット用折戸２０の折り畳み動作を避けつつ、ユニット用折戸２０をガイド軸４６周りに回転させる。
【００１７】
この結果、図２（ｂ）に示すように、ガイドレール２４のコーナー区間２４ｃを通過させるように折戸ユニット１０を動かすにあたり、ユニット用折戸２０の折り畳み動作を避けられる。これに伴い、ユニット用折戸２０の折り畳み動作に伴う障害物１０２との干渉を避けつつ、折戸ユニット１０を動かせるようになり、良好な使い勝手を得られる。以下、折戸ユニット１０の詳細を説明する。
【００１８】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１９】
図３は、実施形態の折戸ユニット１０が用いられる屋外構造物１２を示す斜視図である。屋外構造物１２は、外部空間から区画された内部空間を屋外に形成する。屋外構造物１２は、建物の外壁１３の正面側に設けられる。屋外構造物１２は、複数の支柱１４と、複数の支柱１４により支持される屋根１６と、屋根１６の下方に配置される折戸装置１７とを備える。
【００２０】
図４は、折戸装置１７の平面図である。図５は、折戸装置１７の他の平面図である。図４では複数の折戸１８、２０が全閉状態にあり、図５では複数の折戸１８、２０が開状態にある。折戸装置１７は、主に、複数の折戸１８、２０を用いた仕切り壁２２と、複数の折戸１８、２０を案内可能な上下のガイドレール２４と、を備える。
【００２１】
図４に示すように、仕切り壁２２は、複数の折戸１８、２０が全閉状態にあるときに設けられ、外部空間と内部空間を隔てている。実施形態の仕切り壁２２は、間口方向Ｘ（第１方向）の両側に臨む二つの側壁面部２２ａと、出幅方向Ｙ（第２方向）に臨む前壁面部２２ｂと、隣り合う側壁面部２２ａと前壁面部２２ｂがなすコーナー部２２ｃとを有する。ここでの間口方向Ｘは、建物の外壁１３に沿った水平方向であり、出幅方向Ｙは、間口方向Ｘと直交する水平方向である。
【００２２】
仕切り壁２２は、複数の折戸１８と折戸ユニット１０を用いて構成される。折戸１８は、ガイドレール２４に対して折り畳み動作及び伸長動作を伴い案内され、その折り畳み動作及び伸長動作を経て開閉可能である。折戸ユニット１０は後述する。
【００２３】
図６は、ガイドレール２４の一部を示す平面図である。本図では下側のガイドレール２４のみ示す。ガイドレール２４は、複数の折戸１８や折戸ユニット１０を案内可能である。上下のガイドレール２４のそれぞれは、互いに枠組みされた複数の枠部材の間で連続するように設けられる。
【００２４】
ガイドレール２４は、前述した通り、第１ストレート区間２４ａ、第２ストレート区間２４ｂ、コーナー区間２４ｃを有する。実施形態の第１ストレート区間２４ａは間口方向Ｘに延びている。実施形態の第２ストレート区間２４ｂは出幅方向Ｙに延びている。第１ストレート区間２４ａ及び第２ストレート区間２４ｂのそれぞれは、直線状に延びるように設けられる。実施形態のコーナー区間２４ｃは、第１ストレート区間２４ａ及び第２ストレート区間２４ｂに対して傾斜して直線状に延びるように設けられる。
【００２５】
以上のガイドレール２４は、第１ストレート区間２４ａと第２ストレート区間２４ｂの間で行き来するように複数の折戸１８や折戸ユニット１０を案内可能である。これにより、図５に示すように、複数の折戸１８や折戸ユニット１０を、ガイドレール２４の任意の箇所に折り畳んでまとめた状態で配置できる。
【００２６】
図７は、ガイドレール２４を説明するための断面図である。実施形態のガイドレール２４には、複数の折戸１８や折戸ユニット１０を案内するためのガイド部の一例となるレール溝２４ｄが形成される。レール溝２４ｄは、ガイドレール２４による折戸１８等の案内方向に沿って延びるように形成される。レール溝２４ｄは、入口側より奥側で内幅寸法が大きくなるように形成される。ガイドレール２４は、ガイドレール２４の外部空間とレール溝２４ｄの奥側空間を隔て、レール溝２４ｄの入口部を形成する一対のガイド壁部２４ｅを有する。一対のガイド壁部２４ｅは、互いの先端部が見込方向Ｙ（後述する）に突き合わせられている。
【００２７】
折戸ユニット１０の説明にうつる。図８は、図４の折戸ユニット１０の拡大図である。折戸ユニット１０は、ユニット用折戸２０と、仕切り壁２０のコーナー部２２ｃを構成するコーナー縦框２５とを有する。本明細書では、折戸ユニット１０のユニット用折戸２０が伸長状態にあるとき、折戸ユニット１０を正面から見た左右方向を戸幅方向Ｐａといい、奥行方向を見込方向Ｐｂということがある。ここでの伸長状態とは、ユニット用折戸２０の第１戸体２８及び第２戸体３０が直線状に伸長した状態をいう。
【００２８】
ユニット用折戸２０は、互いの戸幅方向Ｐａの内端部２８ａ、３０ａが回動軸３２を介して連結され、回動軸３２周りに回動可能な第１戸体２８及び第２戸体３０を有する。第１戸体２８は、第２戸体３０より仕切り壁２２のコーナー部２２ｃに近い側に配置される。第１戸体２８と第２戸体３０には軸受部３３が設けられ、その軸受部３３には個別の回動軸３２が回転自在に支持される。実施形態では二つの回動軸３２は一体化された部品の一部を構成している。この回動軸３２は、上下方向に沿って延びており、第１戸体２８と第２戸体３０の間で見込方向Ｙの内部空間側（一方側）に設けられる。
【００２９】
図９は、折戸ユニット１０の一部を見込方向Ｙから見た図である。図８、図９に示すように、戸体２８、３０は、透光性をもつガラスパネル等の矩形状のパネル体３４と、パネル体３４の四周を囲む框３６、３８とを備える。框３６、３８には、戸幅方向Ｐａの両側の二つの縦框３８が含まれる。
【００３０】
コーナー縦框２５は、全体として、上下方向に長尺かつ中空の構造を持つ。コーナー縦框２５は、第１戸体２８の戸幅方向Ｐａの外端部２８ｂに接続される。これにより、ユニット用折戸２０とコーナー縦框２５をガイドレール２４に沿ってスライドさせる必要がある場合に、これらを一体に移動させることができる。これは、たとえば、図５に示すように、複数の折戸１８や折戸ユニット１０を一箇所にまとめる場合を想定している。
【００３１】
実施形態の折戸ユニット１０は、第１戸体２８の外端部２８ｂとコーナー縦框２５をヒンジ軸４０ａ周りに回動可能に連結するヒンジ機構４０を備える。実施形態のヒンジ機構４０は単数のヒンジ軸４０ａを持つ単軸ヒンジ機構である。ヒンジ軸４０ａは上下方向に沿って延びており、第１戸体２８やコーナー縦框２５の間で見込方向Ｙの外部空間側（他方側）に設けられる。
【００３２】
ここで、実施形態の折戸ユニット１０は、前述の通り、コーナー縦框２５及び第２戸体３０はガイドレール２４に案内されるガイド４２、４４を有し、第１戸体２８はガイドを有さない点に特徴がある。この点につき詳細に説明する。
【００３３】
図９を参照する。コーナー縦框２５は、上側のガイドレール２４に案内される上側框ガイド４２−Ａと、下側のガイドレール２４に案内される下側框ガイド４２−Ｂとを有する。上側框ガイド４２−Ａは、コーナー縦框２５の上端部に設けられ、下側框ガイド４２−Ｂは、コーナー縦框２５の下端部に設けられる。
【００３４】
第２戸体３０は、上側のガイドレール２４に案内される上側戸ガイド４４−Ａと、下側のガイドレール２４に案内される下側戸ガイド４４−Ｂとを有する。上側戸ガイド４４−Ａは、第２戸体３０の外端部３０ｂにある縦框３８の上端部に設けられ、下側戸ガイド４４−Ｂは、その縦框３８の下端部に設けられる。
【００３５】
上側框ガイド４２−Ａ、下側框ガイド４２−Ｂや、上側戸ガイド４４−Ａ、下側戸ガイド４４−Ｂは多くの点で共通するため、これらの共通点に関して総称した名称で説明することがある。ここでの総称した名称とは、冒頭の「上側、下側」と、末尾の「−Ａ、−Ｂ」を省略した名称をいう。
【００３６】
実施形態の上側框ガイド４２−Ａや下側框ガイド４２−Ｂは、コーナー縦框２５から上下方向の両側に突き出るガイド軸４６と、ガイド軸４６の先端部に回転自在に取り付けられるローラ４８とを有する。実施形態の上側戸ガイド４４−Ａや下側戸ガイド４４−Ｂも、第２戸体３０の外端部３０ｂから上下方向の両側に突き出るガイド軸４６と、ガイド軸４６の先端部に回転自在に取り付けられるローラ４８とを有する。
【００３７】
図７を参照する。ガイド軸４６は、ガイドレール２４のレール溝２４ｄ内に配置される。ガイド軸４６は、ガイドレール２４のレール溝２４ｄに沿ってスライドすることで、ガイドレール２４に案内される。ローラ４８は、ガイドレール２４の一対のガイド壁部２４ｅの裏側に配置される。ローラ４８は、ガイドレール２４の内壁面に沿って転動することで、ガイドレール２４に案内される。
【００３８】
実施形態の上側框ガイド４２−Ａや上側戸ガイド４４−Ａは、上側のガイドレール２４のガイド壁部２４ｅにローラ４８が支持される。これにより、コーナー縦框２５や第２戸体３０は、上側のガイドレール２４に上側框ガイド４２−Ａや上側戸ガイド４４−Ａを介して支持される。実施形態の下側框ガイド４２−Ｂや下側戸ガイド４４−Ｂは、上側に向けて変位しようとしたとき、下側ガイドレール２４のガイド壁部２４ｅとローラ４８の接触により、その変位を規制可能である。
【００３９】
以上の構成のもとでは、折戸ユニット１０は、ガイドレール２４にユニット用折戸２０の折り畳み動作及び伸長動作を伴い案内され、その折り畳み動作及び伸長動作を経て開閉可能である。このとき、折戸ユニット１０は、図８に示すように、框ガイド４２のガイド軸４６周りの方向Ｐ１でのコーナー縦框２５や第１戸体２８の回動や、戸ガイド４４のガイド軸４６周りの方向Ｐ２での第２戸体３０の回動を伴い開閉可能である。
【００４０】
ここで、前述の通り、コーナー縦框２５や第２戸体３０は、ガイドレール２４にガイド軸４６周りの回動を伴い案内される框ガイド４２や戸ガイド４４を有する。一方、第１戸体２８は、ガイドレール２４にガイド軸周りの回動を伴い案内されるガイドを有さない。これにより、前述の通り、ガイドレール２４のコーナー区間２４ｃを通過させるように折戸ユニット１０を動かすにあたり、ユニット用折戸２０の折り畳み動作を避けられる。
【００４１】
図１０は、第１変形例の折戸ユニット１０を示す図である。第１変形例の折戸ユニット１０は、実施形態の折戸ユニット１０と比べ、コーナー縦框２５と第１戸体２８が相対変位不能に一体化されている点が異なる。仕切り壁２２を構成するにあたり、ユニット用折戸２０が配置されるべき仕切り位置にユニット用折戸２０があるときを考える。このときに、ユニット用折戸２０を折り畳むにあたり、第１戸体２８や第２戸体３０の内端部２８ａ、３０ａが動き始める方向を開き方向Ｐｃとする。第１戸体２８の外端部２８ｂに対して開き方向Ｐｃに障害物が配置されるケースを考える。本例での障害物とは屋外構造物１２の支柱１４である。
【００４２】
このケースのもと、第１変形例の折戸ユニット１０では、第１戸体２８が框ガイド４２のガイド軸４６周りにしか回動できず、第１戸体２８の外端部２８ｂが障害物と干渉し易くなる。
【００４３】
これに対して、実施形態の折戸ユニット１０は、第１戸体２８の外端部２８ｂとコーナー縦框２５をヒンジ軸４０ａ周りに回動可能に連結するヒンジ機構４０を備える。よって、図１１に示すように、第１戸体２８の外端部２８ｂを開き方向Ｐｃとは反対側の障害物から離れる方向Ｐｅに動かせるようになる。これは、第１戸体２８とコーナー縦框２５をヒンジ軸４０ａ周りに回動させつつ、コーナー縦框２５が框ガイド４２のガイド軸４６周りの方向Ｐｄに回動することで実現できる。これにより、第１戸体２８の外端部２８ｂと障害物の干渉を避けつつ、ユニット用折戸２０を開き易くなる。
【００４４】
次に、折戸ユニット１０の他の特徴を説明する。
図１２は、ガイドレール２４や框ガイド４２と周辺構造を簡略化して示す図である。框ガイド４２のガイド軸４６は、ガイドレール２４の第２ストレート区間２４ｂを構成するレール溝２４ｄ内に配置される。これにより、框ガイド４２のガイド軸４６は、ガイドレール２４の第２ストレート区間２４ｂを構成する壁面に対して第１ストレート区間２４ａの延び方向Ｘに当接可能な位置に配置される。本実施形態では、第１ストレート区間２４ａの延び方向Ｘは間口方向Ｘとなる。この利点を説明する。
【００４５】
図１３は、第２変形例の折戸ユニット１０を示す図である。第２変形例の折戸ユニット１０では、框ガイド４２のガイド軸４６は、ガイドレール２４のコーナー区間２４ｃを構成するレール溝２４ｄ内に配置される。この場合に、ガイドレール２４の第１ストレート区間２４ａにより折戸ユニット１０を案内させつつ、折戸ユニット１０を仕切り位置に配置するケースを考える。このケースでは、ガイドレール２４の第１ストレート区間２４ａに沿って折戸ユニット１０が案内されるように、折戸ユニット１０に第１ストレート区間２４ａの延び方向Ｘの外力Ｆｄを入力する。このとき、折戸ユニット１０に入力される外力Ｆｄによって、框ガイド４２のガイド軸４６がコーナー区間２４ｃに沿った方向Ｐｆに案内されてしまうオーバーランが生じる。この結果、折戸ユニット１０を第１ストレート区間２４ａの延び方向Ｘに位置決めし難くなる。
【００４６】
これに対して、実施形態によれば、図１２に示すように、折戸ユニット１０に第１ストレート区間２４ａの延び方向Ｘに沿った外力Ｆｄが入力されたとき、ガイドレール２４の第２ストレート区間２４ｂを構成する壁面に框ガイド４２のガイド軸４６が当接する。これにより、折戸ユニット１０を仕切り位置に止めようとする場合に、コーナー縦框２５がコーナー区間２４ｃに沿って案内されるオーバーランを防止できる。この結果、折戸ユニット１０を第１ストレート区間２４ａの延び方向Ｘに位置決めし易くなる。
【００４７】
なお、この構成のもとでは、図１３の第２変形例と比べて、折戸ユニット１０と隣り合う折戸１８（以下、隣接折戸１８という）から離れる方向Ｐｇへのコーナー縦框２５の移動量を大きくできる。よって、隣接折戸１８との干渉を避けつつ、コーナー縦框２５を框ガイド４２のガイド軸４６周りに回転させ易くなり、ユニット用折戸２０を開き易くできる利点もある。
【００４８】
図１４（ａ）は、図９の一部を示す拡大図である。図１２、図１４（ａ）に示すように、折戸ユニット１０は、ガイドレール２４にコーナー縦框２５をロック可能なロック部材５０を有する。コーナー縦框２５は、ガイドレール２４にロックされた状態にあるとき、ユニット用折戸２０や隣接折戸１８を突き当てることで、これらを位置決めし易くする役割を持つ。
【００４９】
ロック部材５０は、コーナー縦框２５に内蔵される。ロック部材５０は、コーナー縦框２５に対して昇降可能に支持される。コーナー縦框２５には不図示の操作部材が昇降可能に支持され、ロック部材５０は操作部材に対する手動操作に連動して昇降する。ロック部材５０は、図１４（ａ）、（ｂ）に示すように、コーナー縦框２５に対して昇降することにより、コーナー縦框２５からの上下方向での突出量が変化し、ガイドレール２４のレール溝２４ｄに抜き差しされる。
【００５０】
図１２に示すように、ロック部材５０は、ガイドレール２４の第１ストレート区間２４ａでレール溝２４ｄに抜き差しされる第１部分５０ａと、ガイドレール２４のコーナー区間２４ｃでレール溝２４ｄに抜き差しされる第２部分５０ｂとを有する。実施形態のロック部材５０の第１部分５０ａや第２部分５０ｂは、ガイドレール２４の第１ストレート区間２４ａやコーナー区間２４ｃに嵌め込み可能な形状である。
【００５１】
ロック部材５０は、ガイドレール２４のレール溝２４ｄ内に差し込まれ、ガイドレール２４の第１ストレート区間２４ａを構成する壁面と当接することにより、ガイドレール２４にコーナー縦框２５をロックするロック状態になる。ロック部材５０は、ロック状態にあるとき、ガイドレール２４の第１ストレート区間２４ａを構成する壁面に対して第２ストレート区間２４ｂの延び方向Ｙに当接可能な位置に配置され、コーナー縦框２５を延び方向Ｙにロックする。本実施形態では、この第２ストレート区間２４ｂの延び方向Ｙは出幅方向Ｙとなる。ロック部材５０は、ガイドレール２４のレール溝２４ｄから抜き出され、ガイドレール２４の第１ストレート区間２４ａを構成する壁面と水平方向に当接不能な位置にあるとき、ガイドレール２４に対するコーナー縦框２５の相対変位を許容するロック解除状態になる。
【００５２】
このロック部材５０は、コーナー縦框２５の框ガイド４２に対して昇降することによりロックの有無を切り替え可能である。この利点を説明する。
【００５３】
ロック部材５０を用いてコーナー縦框２５を強固にロックするためには、ロック部材５０がロック状態にあるとき、ガイドレール２４に対するロック部材５０の上下方向での重なり代が大きいほど好ましい。これを実現するうえでは、ロック部材５０の昇降方向でのストローク量を大きくできるとよい。
【００５４】
かりに、コーナー縦框２５の框ガイド４２とロック部材５０が一体的に昇降可能である場合を考える。框ガイド４２は、ガイドレール２４により案内される目的を果たすため、ロック部材５０のロックの有無によらず、ガイドレール２４に対する上下方向での重なり代が必要となる。よって、ロック部材５０のストローク量を大きくしたとき、ロック部材５０に連動して昇降する框ガイド４２がガイドレール２４と干渉しないように、ガイドレール２４の上下方向での高さ寸法を余計に確保しなければならなくなる。
【００５５】
これに対して、実施形態では、コーナー縦框２５の框ガイド４２に対してロック部材５０が昇降することによりロックの有無を切り替え可能である。この場合、ロック部材５０のストローク量を大きくしたとき、ロック部材５０に連動して框ガイド４２が昇降しないため、その框ガイド４２とガイドレール２４の干渉を避けるため、ガイドレール２４の高さ寸法を余計に確保せずともよくなる。この結果、ガイドレール２４の高さ寸法の増大を抑えつつ、ロック部材５０のストローク量を大きくでき、そのロック部材５０を用いてコーナー縦框２５をガイドレール２４に強固にロックできる。
【００５６】
図８を参照する。框ガイド４２のガイド軸４６と戸ガイド４４のガイド軸４６の間の中央位置Ｃｐは、第１戸体２８の内端部２８ａと第２戸体３０の内端部３０ａの間に位置するように設けられる。これを実現するため、第１戸体２８の戸幅方向Ｐａに沿った寸法である戸幅寸法は、第２戸体３０の戸幅寸法より小さくなるように設定される。この利点を説明する。
【００５７】
図１５（ａ）は、第３変形例の折戸ユニット１０の一部を示す図である。本図では、折戸ユニット１０のユニット用折戸２０が折り畳み状態にある。第３変形例の折戸ユニット１０では、第１戸体２８と第２戸体３０の戸幅寸法が同じである。この場合、ガイドレール２４に沿った方向Ｐｈに第１戸体２８とコーナー縦框２５（スペースＳａの箇所）を並べて配置しなければならず、その方向Ｐｈでの折戸ユニット１０の寸法が余計に増大する。
【００５８】
図１５（ｂ）は、実施形態のユニット用折戸２０を折り畳んだ状態を示す平面図である。実施形態の折戸ユニット１０は、前述の条件を満たしているため、ユニット用折戸２０が折り畳み状態にあるとき、第１戸体２８とコーナー縦框２５を第１戸体２８の戸幅方向Ｐａに並べられる。これにより、ユニット用折戸２０が折り畳み状態にあるとき、ガイドレール２４に沿った方向Ｐｈに第１戸体２８とコーナー縦框２５を並べて配置せずともよくなる。よって、ガイドレール２４に沿った方向Ｐｈでの折戸ユニット１０の寸法を小型化できる。
【００５９】
図１６は、第４変形例の折戸ユニット１０を示す図である。本例の折戸ユニット１０は、第１戸体２８とコーナー縦框２５のヒンジ軸４０ａ周りの自由な相対変位が許容されている。この折戸ユニット１０のユニット用折戸２０を折り畳んだ状態のもと、ガイドレール２４に沿って案内させるべく、第２戸体３０側に向けて第１戸体２８に外力Ｆｅを付与するケースを考える。このケースでは、第１戸体２８とコーナー縦框２５の自由な相対変位が許容されているため、第１戸体２８に外力Ｆｅを付与しても、その外力Ｆｅが同じ方向の力としてコーナー縦框２５にスムーズに伝達され難くなる。この結果、折戸ユニット１０全体をガイドレール２４に沿ってスムーズに動かし難くなる恐れがある。
【００６０】
この対策として、実施形態の折戸ユニット１０は、図１５（ｂ）に示すように、第１戸体２８とコーナー縦框２５を全閉時の相対位置で保持可能な位置保持機構５４を備える。ここでの全閉時とは、折戸ユニット１０が仕切り位置にあるときでもある。
【００６１】
実施形態の位置保持機構５４は、第１戸体２８とコーナー縦框２５の相対位置を保持する保持力として磁石５４ａ、５４ｂの吸引力を用いる。詳しくは、位置保持機構５４は、コーナー縦框２５及び第１戸体２８の突き合わせ箇所の一方に取り付けられる第１磁石５４ａと、それらの突き合わせ箇所の他方に取り付けられる第２磁石５４ｂとを有する。第１磁石５４ａと第２磁石５４ｂは異なる極性に着磁されている。第１磁石５４ａと第２磁石５４ｂには、第１戸体２８とコーナー縦框２５が全閉時の相対位置にあるときに互いに引き寄せ合う吸引力が保持力として作用する。第１戸体２８とコーナー縦框２５は、この保持力に抗する方向Ｐｊに保持力に打ち勝つ外力を付与したとき、ヒンジ軸４０ａ周りの回動を伴い相対変位可能となる。
【００６２】
これによれば、ユニット用折戸２０が折り畳み状態にある場合に、ガイドレール２４に沿って案内させるべく第２戸体３０側に向けて第１戸体２８に外力Ｆｅを付与したとき、その外力が同じ方向の力としてコーナー縦框２５に伝達され易くなる。この結果、第１戸体２８に付与される外力Ｆｅを用いて、折戸ユニット１０全体をガイドレール２４に沿ってスムーズに動かし易くなる。
【００６３】
以上、本発明の実施形態の例や変形例について詳細に説明した。前述した実施形態や変形例は、いずれも本発明を実施するにあたっての具体例を示したものにすぎない。実施形態や変形例の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。また、図面の断面に付したハッチングは、ハッチングを付した対象の材質を限定するものではない。
【００６４】
仕切り壁２２は屋外構造物１２に用いられる例を説明したが、その用途は特に限定されない。たとえば、仕切り壁２２は屋内の間仕切りに用いられてもよい。
【００６５】
ガイドレール２４のガイド部はレール溝２４ｄを例に説明したが、軌条等でもよい。ガイドレール２４は、二つのコーナー区間２４ｃを有する例を説明した。ガイドレール２４は、少なくとも一つのコーナー区間２４ｃを有していればよく、その具体的なレイアウトは特に限定されない。ガイドレール２４のコーナー区間２４ｃは直線状に延びる例を説明したが、その形状は特に限定されない。コーナー区間２４ｃは、たとえば、曲線状に延びてもよい。
【００６６】
ユニット用折戸２０は、第１方向（間口方向Ｘ）に沿って延びる仕切り壁２２の前壁面部２２ｂの一部を構成する例を説明したが、第２方向（出幅方向Ｙ）に沿って延びる仕切り壁２２の側壁面部２２ａの一部を構成していてもよい。いずれにしても、ユニット用折戸２０は、異なる方向に沿って延びるとともにコーナー部２２ｃをなす二つの壁面部のいずれかを構成していればよい。この二つの壁面部の延びる第１方向、第２方向は、実施形態において、建物の外壁１３との関係で間口方向Ｘ、出幅方向Ｙに設定される例を説明したが、これに限定されない。第１方向、第２方向は、間口方向Ｘ、出幅方向Ｙとは無関係の方向に設定されてもよい。
【００６７】
ガイドレール２４は、折戸ユニット１０のユニット用折戸２０に対して上下方向に配置される第１ストレート区間２４ａが第１方向としての間口方向Ｘに延びており、第２ストレート区間２４ｂが第２方向としての出幅方向Ｙに延びる例を説明した。仕切り壁２２の側壁面部２２ａの一部をユニット用折戸２０が構成する場合、ガイドレール２４の第１ストレート区間２４ａが第１方向として出幅方向Ｙに延び、第２ストレート区間２４ｂが第２方向として間口方向Ｘに延びることになる。また、第１ストレート区間２４ａや第２ストレート区間２４ｂの延び方向も、仕切り壁部２２と同様、間口方向、出幅方向とは無関係の方向に設定されていてもよい。
【００６８】
コーナー縦框２５と第１戸体２８は、実施形態の例のように、ヒンジ機構４０を用いて連結されていてもよいし、第１変形例のように、ヒンジ機構４０を用いずに一体化されていてもよい（図１０参照）。
【００６９】
コーナー縦框２５の框ガイド４２は、ガイドレール２４の第２ストレート区間２４ｂを構成する壁面に当接可能な位置に配置される例を説明した。框ガイド４２の位置は特に限定されず、ガイドレール２４の第１ストレート区間２４ａやコーナー区間２４ｃを構成する壁面に当接可能な位置に配置されてもよい。
【００７０】
ヒンジ機構４０は単数のヒンジ軸４０ａを持つ単軸ヒンジ機構を例に説明したが、複数のヒンジ軸４０ａを持つ多軸ヒンジ機構でもよい。
【００７１】
框ガイド４２や戸ガイド４４は、ガイドレール２４にガイド軸４６周りの回動を伴い案内されるものであれば、その具体例は特に限定されない。たとえば、ガイド４２、４４はローラ４８がなくともよいし、戸車等が組み込まれていてもよい。框ガイド４２のガイド軸４６と戸ガイド４４のガイド軸４６の間の中央位置Ｃｐは、第１戸体２８の内端部２８ａと第２戸体３０の内端部３０ａの間に位置するように設けられる例を説明したが、これに限定されない。たとえば、框ガイド４２と戸ガイド４４の間の中央位置Ｃｐは、第１戸体２８と重なる箇所に位置するように設けられてもよい。これは、たとえば、第１戸体２８と第２戸体３０が同じ戸幅寸法を持つ場合を想定している。
【００７２】
ロック部材５０は、コーナー縦框２５の框ガイド４２に対して昇降可能である例を説明したが、一体的に昇降可能でもよい。ロック部材５０は、コーナー縦框２５から下方に突き出るものを例示したが、上方に突き出てもよい。
【００７３】
位置保持機構５４はなくともよい。位置保持機構５４は、第１戸体２８とコーナー縦框２５の相対位置を保持する保持力として磁石の吸引力を用いる例を説明した。このように構成するうえで、位置保持機構５４は、第１戸体２８及びコーナー縦框２５の一方を強磁性体を用いて構成し、それらの他方にのみ強磁性体を吸引可能な磁石を取り付けてもよい。また、位置保持機構５４は、第１戸体２８とコーナー縦框２５の全閉時の相対位置を保持できるものであれば、その具体例は特に限定されない。位置保持機構５４は、たとえば、第１戸体２８とコーナー縦框２５の相対位置を保持する保持力として、ばね等の付勢力を用いてもよい。
【００７４】
以上の実施形態、変形例により具体化される発明を一般化すると、以下の技術的思想が導かれる。以下、発明が解決しようとする課題に記載の態様を用いて説明する。
【００７５】
第２態様の折戸ユニットは、第１態様において、前記ガイドレールは、前記ユニット用折戸に対して上下方向に配置される第１ストレート区間と、本折戸ユニットと隣り合う他の折戸に対して上下方向に配置される第２ストレート区間と、前記第１ストレート区間と前記第２ストレート区間を繋ぐコーナー区間と、を有し、前記コーナー縦框の前記ガイドは、前記２ストレート区間を構成する前記ガイドレールの壁面に対して当接可能な位置に配置されてもよい。
この態様によれば、仕切り壁を構成するにあたり折戸ユニットが配置されるべき位置に折戸ユニットを止めようとする場合に、コーナー縦框がコーナー区間に沿って案内されるオーバーランを防止できる。
【００７６】
第３態様の折戸ユニットは、第１または第２態様において、前記コーナー縦框を前記ガイドレールにロック可能なロック部材を備え、前記ロック部材は、前記コーナー縦框の前記ガイドに対して昇降することによりロックの有無を切り替え可能であってもよい。
この態様によれば、ガイドレールの高さ寸法の増大を抑えつつ、ロック部材のストローク量を大きくでき、そのロック部材を用いてガイドレールにコーナー縦框を強固にロックできる。
【００７７】
第４態様の折戸ユニットは、第１から第３態様のいずれかにおいて、前記コーナー縦框の前記ガイド軸と前記第２戸体の前記ガイド軸の間の中央位置は、前記第１戸体の内端部と前記第２戸体の内端部の間に位置するように設けられてもよい。
この態様によれば、ユニット用折戸が折り畳み状態にあるとき、第１戸体とコーナー縦框を第１戸体の戸幅方向に並べられる。これにより、ユニット用折戸が折り畳み状態にあるとき、ガイドレールに沿った方向での折戸ユニットの寸法を小型化できる。
【００７８】
第５態様の折戸ユニットは、第１から第４態様のいずれかにおいて、前記第１戸体の外端部と前記コーナー縦框をヒンジ軸周りに回動可能に連結するヒンジ機構を備えてもよい。
この態様によれば、ユニット用折戸を折り畳むとき、第１戸体の内端部が動き始める開き方向とは反対側に第１戸体の外端部を動かせるようになる。これにより、第１戸体の外端部と障害物の干渉を避けつつ、ユニット用折戸を開き易くなる。
【００７９】
第６態様の折戸ユニットは、第５態様において、前記第１戸体と前記コーナー縦框を全閉時の相対位置で保持可能な位置保持機構を備えてもよい。
ユニット用折戸が折り畳み状態にある場合に、ガイドレールに沿って案内させるべく第２戸体側に向けて第１戸体に外力を付与するケースを考える。この態様によれば、このケースにおいて、第１戸体とコーナー縦框が全閉時の相対位置で保持されるため、第１戸体に付与した外力と同じ方向の力としてコーナー縦框に伝達され易くなる。この結果、第１戸体に付与される外力を用いて、折戸ユニット全体をガイドレールに沿ってスムーズに動かし易くなる。
【符号の説明】
【００８０】
１０…折戸ユニット、１８…折戸、１８ａ…戸体、２０…ユニット用折戸、２２…仕切り壁、２２ｃ…コーナー部、２４…ガイドレール、２４ａ…第１ストレート区間、２４ｂ…第２ストレート区間、２４ｃ…コーナー区間、２５…コーナー縦框、２８…第１戸体、３０…第２戸体、３２…第１ヒンジ機構、４０…第２ヒンジ機構、４２…框ガイド（ガイド）、４４…戸ガイド（ガイド）、４６…ガイド軸、５０…ロック部材、５４…位置保持機構。
【図１】
2019011561.tif 000003
【図２】
2019011561.tif 000004
【図３】
2019011561.tif 000005
【図４】
2019011561.tif 000006
【図５】
2019011561.tif 000007
【図６】
2019011561.tif 000008
【図７】
2019011561.tif 000009
【図８】
2019011561.tif 000010
【図９】
2019011561.tif 000011
【図１０】
2019011561.tif 000012
【図１１】
2019011561.tif 000013
【図１２】
2019011561.tif 000014
【図１３】
2019011561.tif 000015
【図１４】
2019011561.tif 000016
【図１５】
2019011561.tif 000017
【図１６】
2019011561.tif 000018